(57)【特許請求の範囲】
【請求項１】
液体を消費する消費部へ当該液体を供給する供給口が設けられた供給部材に対して、前記液体の流路を有し、前記液体の供給方向における前記供給口よりも下流側に、前記流路から前記液体が漏れないシール部を形成して接続される接続チューブと、
前記液体を収容し、前記接続チューブの前記流路に前記液体を供給する液体収容体と、を備え、
前記接続チューブは、前記液体の流路を構成する壁面を有し、少なくとも前記供給部材の供給口と前記壁面との間に隙間を設けて、前記供給部材に接続され、前記供給口の開口と対向する前記液体の流路を構成する壁面が、前記供給口の開口から離れる方向に湾曲する湾曲流路部を有することを特徴とする液体供給システム。
【請求項２】
請求項１に記載の液体供給システムにおいて、
前記接続チューブは前記供給部材と接続される接続部位を有し、
前記シール部は前記接続部位に設けられたシール部材によって形成されることを特徴とする液体供給システム。
【請求項３】
請求項１または２に記載の液体供給システムにおいて、
前記接続チューブは、前記供給部材が破断されて形成された破断面に設けられた前記供給口に対して接続されることを特徴とする液体供給システム。
【請求項４】
請求項１ないし３のいずれか一項に記載の液体供給システムにおいて、
前記液体を収容し、前記液体収容体とは異なる液体カートリッジが着脱可能に装着される液体カートリッジ装着部に対して、当該液体カートリッジに代えて装着可能な代用装着体を有し、
前記代用装着体には、
所定の情報を出力可能な電気接続部と、
前記所定の情報の更新を指示する更新指示部と、
が設けられていることを特徴とする液体供給システム。
【請求項５】
請求項４に記載の液体供給システムにおいて、
前記更新指示部は、前記代用装着体が前記液体カートリッジ装着部に装着された状態で、法線方向が装着方向と逆方向となる面に設けられることを特徴とする液体供給システム。
【請求項６】
請求項４または５に記載の液体供給システムにおいて、
前記代用装着体には、
前記液体カートリッジ装着部に装着された状態で前記接続チューブと干渉しない空間部が設けられていることを特徴とする液体供給システム。
【請求項７】
液体を消費する消費部と、
前記消費部へ前記液体を供給する供給口が設けられた供給部材と、
請求項１ないし６のいずれか一項に記載の液体供給システムと、
を備えたことを特徴とする液体消費装置。
【請求項８】
請求項７に記載の液体消費装置において、
前記消費部を内部に有する筐体を備え、当該筐体の外部に前記液体収容体を有することを特徴とする液体消費装置。
【発明の詳細な説明】
【技術分野】
【０００１】
本発明は、液体を消費する消費部に該液体を供給する液体供給システム、およびこの液体供給システムを備えた液体消費装置に関する。
【背景技術】
【０００２】
従来から、媒体の一種としての用紙に対して、例えば液体噴射ヘッドから液体の一種としてのインクを噴射して文字や図形を含む画像を印刷する液体噴射装置が実用化されている。この種の装置は、インクを収容したインクカートリッジ（液体収容体）から、このインクカートリッジに挿入された供給針（供給部材）を通して、インクを消費する消費部である液体噴射ヘッドに該インクを供給するインク供給システムを有している。そして、供給されたインクを液体噴射ヘッドから用紙に噴射することで印刷を行うとともにインクを消費する。従って、この種の液体噴射装置は液体消費装置でもある。
【０００３】
このような液体消費装置としての記録装置において、比較的大量の印刷を行う場合に、液体噴射ヘッドへ連続的に安定してインクを供給するため、インクの収容容量がインクカートリッジよりも大きな液体収容体であるインクタンクからインクを供給するインク供給システムが提案されている。例えば、特許文献１には、カートリッジホルダーにインクカートリッジと交換可能なアタッチメントを装着して、液体噴射装置に備えられたインクの供給部材となる供給針に、接続チューブとなるインク供給チューブを介して外部からインクが供給されるように接続される構成が開示されている。
【先行技術文献】
【特許文献】
【０００４】
【特許文献１】特開２００６−２２４５２９号公報
【発明の概要】
【発明が解決しようとする課題】
【０００５】
しかしながら、特許文献１に開示された構成の場合は、インクを供給するためにインクカートリッジと交換可能なアタッチメントを必要とする。従って、より簡便に外部からインクを供給するためには、アタッチメントを必要とせずに供給針にインクが供給されるように接続される構成が望まれる。この構成として、インク供給チューブを供給針に直接接続することが好ましい。しかしながら、供給針は、通常インクカートリッジへの挿入方向と交差する方向に向かってインクの供給口となる開口が設けられているため、インク供給チューブを接続した際に、インク供給チューブの内側の壁面が供給針に設けられたインクの供給口を塞いでしまう課題がある。
【０００６】
本発明は、上記課題を解決するためになされたものであり、供給部材に接続チューブを直接接続して液体を接続チューブから消費部に供給することができる液体供給システム、およびこの液体供給システムを備えた液体消費装置を提供することを主な目的とする。
【課題を解決するための手段】
【０００７】
上記目的を達成するために、本発明の液体供給システムは、液体を消費する消費部へ当該液体を供給する供給口が設けられた供給部材に対して、前記液体の流路を有し、前記液体の供給方向における前記供給口よりも下流側に、前記流路から前記液体が漏れないシール部を形成して接続される接続チューブと、前記液体を収容し、前記接続チューブの前記流路に前記液体を供給する液体収容体と、を備えた。
【０００８】
この構成によれば、消費部に液体を供給する供給部材に接続チューブを直接接続した場合、供給部材に設けられた供給口の下流側でシール部を形成するので、供給口が閉塞されることなく接続チューブから液体を消費部に供給することができる。
【０００９】
本発明の液体供給システムにおいて、前記接続チューブは前記供給部材と接続される接続部位を有し、前記シール部は前記接続部位に設けられたシール部材によって形成される。
【００１０】
この構成によれば、消費部へ液体を供給する供給部材に接続チューブを直接接続した場合、接続部位に設けられたシール部材によって供給部材と接続チューブとの間が密着したシール部を形成するとともに、シール部材の厚さに応じて供給口と接続チューブとの間に隙間が形成される。従って、供給口が閉塞されることなくかつ高い信頼性で流路から液体が漏れ出ないようにシールされた状態で、接続チューブから消費部へ液体を供給することができる。
【００１１】
本発明の液体供給システムにおいて、前記接続チューブは、前記液体の流路を構成する壁面を有し、少なくとも前記供給部材の供給口と前記壁面との間に隙間を設けて、前記供給部材に接続される。
【００１２】
この構成によれば、設けられた隙間を通して液体を供給口へ流すことができるので、接続チューブから消費部へ安定して液体を供給することができる。
本発明の液体供給システムにおいて、前記接続チューブは、前記供給部材が破断されて形成された破断面に設けられた前記供給口に対して接続される。
【００１３】
この構成によれば、消費部へ液体を供給する供給部材に接続チューブを接続した場合、供給部材に設けられた供給口が接続チューブから離れた状態が容易に得られるので、供給口が閉塞されることなく液体を接続チューブから消費部へ供給することができる。
【００１４】
本発明の液体供給システムにおいて、前記接続チューブは、前記供給口の開口と対向する前記液体の流路を構成する壁面が、前記供給口の開口から離れる方向に湾曲する湾曲流路部を有する。
【００１５】
この構成によれば、消費部へ液体を供給する供給部材に接続チューブを接続した場合、供給口と供給口が対向する壁面との間に隙間が形成されるので、供給口が閉塞されることなく液体を接続チューブから消費部へ供給することができる。
【００１６】
本発明の液体供給システムにおいて、前記液体を収容し、前記液体収容体とは異なる液体カートリッジが着脱可能に装着される液体カートリッジ装着部に対して、当該液体カートリッジに代えて装着可能な代用装着体を有し、前記代用装着体には、所定の情報を出力可能な電気接続部と、前記所定の情報の更新を指示する更新指示部と、が設けられている。
【００１７】
この構成によれば、液体収容体からの液体の供給を許容して消費部における印刷動作を実行させることができる。
本発明の液体供給システムにおいて、前記更新指示部は、前記代用装着体が前記液体カートリッジ装着部に装着された状態で、法線方向が装着方向と逆方向となる面に設けられる。
【００１８】
この構成によれば、記憶部に記憶された情報を装着方向の手前側から容易に更新指示部を操作して更新することができる。
本発明の液体供給システムにおいて、前記代用装着体には、前記液体カートリッジ装着部に装着された状態で前記接続チューブと干渉しない空間部が設けられている。
【００１９】
この構成によれば、代用装着体を円滑に液体収容体装着に装着することができる。
上記目的を達成するために、本発明の液体消費装置は、液体を消費する消費部と、前記消費部へ前記液体を供給する供給口が設けられた供給部材と、上記構成の液体供給システムと、を備えた。
【００２０】
この構成によれば、消費部へ液体を供給する供給部材に接続チューブを接続した場合、供給口の下流側でシール部を形成するので、供給口が閉塞されることなく液体を接続チューブから消費部へ供給することができる液体消費装置が得られる。
【００２１】
本発明の液体消費装置において、前記消費部を内部に有する筐体を備え、当該筐体の外部に前記液体収容体を有する。
この構成によれば、液体収容体を液体消費装置の筐体外部に有するので、収容する液体容量の大きな液体収容体を用いることができる。従って液体を接続チューブから消費部へ連続的に供給することができる。
【図面の簡単な説明】
【００２２】
【図１】本発明の一実施形態であるプリンターを前方左斜め上方から見た斜視図。
【図２】実施形態のプリンターにおいて装置ケースを一部取り外した状態の構造斜視図。
【図３】供給針にインク供給チューブが直接接続された状態を示す斜視図。
【図４】流動経路にインクを供給する供給針の構造を示す図で、図３における４−４線断面図。
【図５】供給針にインク供給チューブが直接接続された状態を示す図で、図３における５−５線断面図。
【図６】変形例で、供給針にインク供給チューブが直接接続された状態を示す断面図。
【図７】変形例で、湾曲したインク供給チューブが供給針に直接接続された状態を示す断面図。
【図８】変形例で、アダプターを介してインク供給チューブが供給針に接続された状態を示す断面図。
【発明を実施するための形態】
【００２３】
本発明を具体化した一実施形態として、画像を読み取る画像読取装置を備えた複合機であって、液体噴射ヘッドから媒体の一例である用紙に液体の一例であるインクを噴射して消費しつつ画像等を印刷する液体消費装置としてのインクジェット式プリンター（単に「プリンター」とも呼ぶ）について、図を参照して説明する。
【００２４】
図１に示すように、プリンター１１は、装置本体１２と、装置本体１２に対して反重力方向（上方向）に連結して搭載された画像読取装置としてのスキャナーユニット１３と、によって構成されている。装置本体１２は、複数の部材で構成された筐体としての装置ケース１４によって構成され、用紙Ｐにインクを噴射して消費する消費部２０（図２参照）などを装置ケース１４内に備える。
【００２５】
この装置ケース１４において、印刷された用紙Ｐの排出方向となる前方向の上側には、プリンター１１を動作させる際にユーザーが操作する操作パネル１５が配置されている。操作パネル１５はメニュー画面等を表示するための表示部１５ａ（例えば液晶ディスプレイ）と、表示部１５ａの周囲に設けられた種々の操作ボタン１５ｂとを備えている。
【００２６】
また、装置ケース１４において、操作パネル１５の下側には前面カバー１６が開閉可能に取り付けられている。前面カバー１６は、その下方に設けた図示しないヒンジにより手前に開く。なお、前面カバー１６には、前面カバー１６を開閉するときにユーザーが手をかけるための把持部１６ａが凹設されている。また、装置ケース１４において、前面カバー１６の下方には、装置本体１２から排出される用紙Ｐを装置本体１２外へ排出する排紙台１９が配設されている。
【００２７】
プリンター１１では、排紙台１９の下側において用紙Ｐを積層状態で載置する給紙カセット１８が備えられ、収容された積層最上位の用紙Ｐが一枚ずつ、装置本体１２内に形成された図示しない搬送経路に送り出されて消費部２０へ搬送される。なお、給紙カセット１８は、装置本体１２に対して挿抜可能であって、その前面側に給紙カセット１８を装置本体１２から抜き出す際にユーザーが手をかけるための庇状の把持部１８ａが形成され、装置本体１２から前方への給紙カセット１８の抜き出しが容易とされている。また、装置本体１２の後側において用紙Ｐを載置する載置トレイ１７が設けられ、載置トレイ１７上に載置された用紙Ｐが、同じく装置本体１２内に形成された図示しない搬送経路に送り出されて消費部２０へ搬送される。
【００２８】
また、プリンター１１では、装置本体１２に対して前方から見て左側に、消費部２０が消費するインクを収容する液体収容体としてのインクタンク５０を、装置本体１２の外部であって装置ケース１４と当接状態もしくは非当接状態で備えている。インクタンク５０は４種類のインク（本実施形態ではシアンインク、マゼンタインク、イエローインク、黒インクの各色インク）を収容する。そして、接続端子５１を介して、各インクの流路として機能するインク供給チューブ５２Ｃ，５２Ｍ，５２Ｙ，５２Ｋによって装置本体１２内へシアンインク、マゼンタインク、イエローインク、黒インクの各色インクを供給する。なお、以降の説明において、インク供給チューブ５２Ｃ，５２Ｍ，５２Ｙ，５２Ｋを色別に区別せず総称する場合はインク供給チューブ５２と呼称する。
【００２９】
プリンター１１には、インク供給チューブ５２から装置本体１２内へ供給されたインクタンク５０の各インクを、消費部２０へ供給する液体供給システムＥＫＳが備えられている。この液体供給システムＥＫＳについて、図２および図３を参照して説明する。
【００３０】
図２に示すように、インクタンク５０から供給される各インクは、インク供給チューブ５２を通して、まず液体カートリッジ装着部３０に供給される。液体カートリッジ装着部３０は、装置ケース１４内に設けられ、前方が開口する空間部ＳＰ１を有する略箱形状のカートリッジホルダー３１において、その空間部ＳＰ１の後方に設けられた供給部材としての供給針３５（図３参照）を有している。この供給針３５に対してインク供給チューブ５２が接続され、インクタンク５０から供給針３５へ向かう方向を供給方向として、各インクがインクタンク５０からインク供給チューブ５２の流路を介して供給針３５へ流入する。
【００３１】
供給針３５へ流入した各インクは、液体カートリッジ装着部３０の後方に配設された流路形成部４０を構成する流路形成体４１に設けられたインクの流動経路４１ａに流入する。流動経路４１ａには、インクを送り出す送出機構（例えばダイアフラムポンプや逆止弁など）が設けられ、図示しない駆動回路から流路形成部４０へ入力される駆動信号によって送出機構が駆動される。この送出機構の駆動によって、各インクは、流路形成体４１に設けられた流動経路４１ａの終端に設けられたインクの流出端子４２から、この流出端子４２に接続された接続端子４３を介してインク供給チューブ４４に送出される。そして、インク供給チューブ４４を流れた各インクは、インク供給チューブ４４において接続端子４３と反対側の端部に接続されたキャリッジ２１を介して液体噴射ヘッド２２に供給され、キャリッジ２１の移動に際して液体噴射ヘッド２２から用紙Ｐに噴射されて画像等が印刷される。
【００３２】
すなわち、装置ケース１４内において用紙の排出方向と交差する幅方向（左右方向）に沿って延びるガイド軸２３が架設されている。また、ガイド軸２３には左右方向に沿って移動可能な状態でキャリッジ２１が支持されている。キャリッジ２１は、図示しないキャリッジモーターの駆動に伴って移動するベルト２４にその一部が固定され、ベルトの移動とともに走査方向となる左右方向に沿って往復移動する。キャリッジ２１の下面側には、用紙Ｐに対して液体の一例としてのインクを噴射する液体噴射ヘッド２２が支持されている。そして、キャリッジ２１を移動させることで液体噴射ヘッド２２を移動させるとともに、移動する液体噴射ヘッド２２からインクを噴射させて消費するとともに、用紙Ｐに画像等を印刷する。なお、本実施形態では、キャリッジ２１および液体噴射ヘッド２２が消費部２０に相当する。
【００３３】
従って、本実施形態のプリンター１１では、インク供給チューブ５２からインク供給チューブ４４へ各インクを流動して消費部２０へ供給する液体供給システムＥＫＳが構成されている。この液体供給システムＥＫＳについて、図３を参照して詳しく説明する。なお、図３では、説明の都合上、供給針３５との接続を行う前の状態でインク供給チューブ５２Ｃを図示している。
【００３４】
図３に示すように、プリンター１１が備える液体供給システムＥＫＳは、接続チューブとしてのインク供給チューブ５２を、アタッチメントを用いることなく、供給部材としての供給針３５に直接接続する構成とされている。すなわち、供給針３５は、液体カートリッジ装着部３０の空間部ＳＰ１における後方壁３３に設けられた開口孔３３Ｈに臨むように配置され、流路形成体４１に形成された各インクが流れる流動経路４１ａに連通するとともに液体カートリッジ装着部３０において各インクに対応して設けられている。この供給針３５は、例えば、液体カートリッジ装着部３０に液体カートリッジとしてのインクカートリッジ５５Ｃ（図中二点鎖線）が白抜き矢印で示したように挿入されて装着されると、後方壁３３が後方へ移動して、装着されるインクカートリッジ５５Ｃ内に挿入される構成とされている。この供給針３５の挿入により、インクカートリッジ５５Ｃの内部に収容されたインク（ここではシアンインク）は、供給針３５を介して流動経路４１ａに流動する。
【００３５】
ここで、供給針３５の構造について、図４を参照して説明する。なお、各供給針３５はいずれも同じ構造を有し、ここでは代表して、インクカートリッジ５５Ｃに挿入される供給針３５の構造について説明する。
【００３６】
図４に示すように、供給針３５は略円柱形状を有し、基端部が流路形成部４０における流路形成体４１に固定され、先端部が後方壁３３の開口孔３３Ｈ内に配置されている。先端部の形状は、円錐面の先端面３５ａと円筒面の側端面３５ｂとを有し、側端面３５ｂにおいて重力方向となる下側にインクが通過する供給口３６が開口している。すなわち、先端面３５ａを円錐面とすることによって、インクカートリッジ５５への挿入を容易にしている。また、供給口を側端面３５ｂにおいて下側とすることで、供給口にゴミや埃が入り難くしている。
【００３７】
供給口３６は、供給針３５の内部に形成された空洞部３７と連通している。また、空洞部３７は、流路形成体４１に形成された流動経路４１ａと基端部において連通している。従って、インクカートリッジ５５Ｃが装着されると、図中二点鎖線で示したように、後方壁３３が後方へ移動することによって、供給針３５は、その先端面３５ａがインクカートリッジ内への挿入を開始する。その後、供給針３５は、挿入状態においてインクカートリッジ５５Ｃとの間でのインク漏れを防止するシール部の位置が、側端面３５ｂにおける供給口３６よりもの下流側（後方側）の部位となる側端面３５ｃの位置になるまで挿入される。この結果、図中矢印Ｆで示すように、インクはインクカートリッジ５５Ｃから供給口３６を通り空洞部３７を流れて流動経路４１ａに供給される。
【００３８】
本実施形態では、このような構造を有する各供給針３５に対して、インク供給チューブ５２が直接接続される。この供給針３５と直接接続されるインク供給チューブ５２の構成について、図５を参照して説明する。なお、本実施液体では各供給針３５は同様な構成とされており、代表してインク供給チューブ５２Ｍの構成について説明する。
【００３９】
図５に示すように、インク供給チューブ５２Ｍは、少なくとも供給針３５と接続される接続部位となる端部側において、その内側の壁面５２ｈが供給針３５の側端面３５ｂ（３５ｃ）の外径よりも大きな内径を有する管状壁となっている。この管状壁となった壁面５２ｈはインクの流路を形成するとともに、壁面５２ｈにおける端部側にシール部材５２Ｓが設けられている。
【００４０】
そして、インク供給チューブ５２Ｍを、その壁面５２ｈに設けられたシール部材５２Ｓが供給針３５の側端面３５ｂ上を摺動するように後方へ押し込むことで供給針３５に対して接続する。こうして接続された状態では、図示するようにシール部材５２Ｓは、供給口３６よりも下流側となる後方側の側端面３５ｃとの間で密着してインクが漏れないようにシール部を形成する。また、シール部材５２Ｓは接続された状態で壁面５２ｈの法線方向において所定の厚さを有している。
【００４１】
このような構成を有するインク供給チューブ５２が供給針３５に挿入され直接接続された場合の作用について説明する。図５に示すように、シール部材５２Ｓは、供給口３６よりもインク供給チューブ５２の挿入方向側となる側端面３５ｃとの間でインクが漏れないようにシールする。また、シール部材５２Ｓはインク供給チューブ５２が接続された状態で壁面５２ｈの法線方向において所定の厚さを有していることから、少なくとも供給口３６が設けられた下側において、供給口３６と壁面５２ｈとの間に隙間ＧＰが確保される。従って、図中矢印Ｆで示すように、インク供給チューブ５２Ｍから供給されるインクは、隙間ＧＰから供給口３６を通り、空洞部３７を流れて流動経路４１ａに供給される。
【００４２】
ところで、プリンター１１では、インクカートリッジ５５からインクが供給される場合に、インクカートリッジ５５に備えられた記憶素子に所定の情報（例えばインクカートリッジの識別データやインクの残量データ）を記憶させる。すなわち、本実施形態では図３に示すように、液体カートリッジ装着部３０のカートリッジホルダー３１の上部において、インクカートリッジ５５との間で各インクの情報を通信する電気端子３２Ｃ，３２Ｍ，３２Ｙ，３２Ｋが設けられている。そして、インクカートリッジ５５が装着されると、この電気端子３２Ｃ，３２Ｍ，３２Ｙ，３２Ｋに対応して設けられた電気端子５６との間で所定の情報が通信され、記憶素子に記憶されたインクカートリッジ５５に関する所定の情報が更新される。
【００４３】
一方、供給針３５にインク供給チューブ５２を直接接続してインクタンク５０からインクを供給する場合は、収容されるインク量がインクカートリッジ５５に比べて多いことから、例えばインクの残量の情報が実際と異なる。そこで、所定の情報を修正したりリセットしたりしてインクタンク５０からインクを供給する状態に合致するように情報を更新するべく、図３に示すように、各インクカートリッジ５５の替わりに装着可能な代用装着体としての各代用カセット６０を液体カートリッジ装着部３０に装着する。
【００４４】
代用カセット６０は、例えばシアンインクを収容したインクカートリッジ５５Ｃなど各インクカートリッジ５５に替えて装着可能であり、装着時にインク供給チューブ５２と干渉しないように、後方に開口する空間部ＳＰ２が中央部分にそれぞれ設けられた各カセット本体６１Ｃ，６１Ｍ，６１Ｙ，６１Ｋを有している。そして、各カセット本体６１Ｃ，６１Ｍ，６１Ｙ，６１Ｋにおいて上面に設けられた電気接続部としての電気端子６２から情報が出力可能とされ、電気端子３２Ｃ，３２Ｍ，３２Ｙ，３２Ｋとの間で電気的な接続が行われることで情報が通信可能とされている。この通信可能とされた状態で、前面に設けられた更新ボタン６３の操作によって、インクタンク５０からのインクを供給状態に合致するように所定の情報が適切に更新される。従って、更新ボタン６３は、所定の情報の更新を指示する更新指示部として機能する。
【００４５】
なお、更新ボタン６３は、代用カセット６０が液体カートリッジ装着部３０に装着された状態で、法線方向が装着方向（前方向）と逆方向（後方向）となる面すなわち各カセット本体６１Ｃ，６１Ｍ，６１Ｙ，６１Ｋにおける前面に設けられている。
【００４６】
上記実施形態によれば、以下のような効果を得ることができる。
（１）消費部２０へインクを供給する供給針３５にインク供給チューブ５２を直接接続した場合、供給針３５に設けられた供給口３６の下流側でシール部を形成するので、供給口３６が閉塞されることなくインク供給チューブ５２からインクを消費部２０へ供給することができる。
【００４７】
（２）消費部２０へインクを供給する供給針３５にインク供給チューブ５２を直接接続した場合、接続部位となる壁面５２ｈのシール部材５２Ｓによって供給針３５とインク供給チューブ５２との間が密着したシール部を形成するとともに、シール部材５２Ｓの厚さに応じて供給口３６とインク供給チューブ５２の壁面５２ｈとの間に隙間ＧＰが形成される。従って、供給口３６が閉塞されることなくかつ高い信頼性で流路からインクが漏れ出ないようにシールされた状態で、インク供給チューブ５２から消費部２０へインクを供給することができる。
【００４８】
（３）消費部２０へインクを供給する供給針３５にインク供給チューブ５２を接続した場合、供給口３６の下流側でシール部を形成するので、供給口３６が閉塞されることなくインクをインク供給チューブ５２から消費部２０へ供給することができるプリンター１１が得られる。
【００４９】
（４）供給針３５の供給口３６と壁面５２ｈとの間に設けられた隙間を通してインクを供給口３６へ流すことができるので、インク供給チューブ５２から消費部２０へ安定してインクを供給することができる。
【００５０】
（５）装着された代用カセット６０に設けられた更新ボタン６３によって、所定の情報（例えば、インクカートリッジ５５およびインク残量のいずれかに関する情報）を更新するので、インクタンク５０からの各インクの供給を許容して消費部２０における印刷動作を実行させることができる。
【００５１】
（６）更新ボタン６３は、代用カセットの前面に設けられるので、電気端子６２から出力される情報を装着方向の手前側から容易に更新ボタン６３を操作して更新することができる。
【００５２】
（７）代用カセット６０には、液体カートリッジ装着部３０に装着された状態でインク供給チューブ５２と干渉しない空間部ＳＰ２が設けられているので、代用カセット６０を円滑に液体カートリッジ装着部３０に装着することができる。
【００５３】
（８）インクタンク５０を装置ケース１４の外部に有するので、収容するインク容量の大きなインクタンク５０を用いることができる。従ってインクをインク供給チューブ５２から消費部２０へ連続的に供給することができる。
【００５４】
なお、上記実施形態は以下のように変更してもよい。
・上記実施形態において、供給針３５の供給口３６は、供給針３５が破断されて形成された破断面に設けられることとしてもよい。本変形例について図６を参照して説明する。
【００５５】
図６に示すように、供給針３５の先端部において、供給口３６よりも供給針３５の基端部側の位置で側端面３５ｂをインク供給チューブ５２の挿入方向と直交もしくは斜めに交差する方向の面で切断する。この結果、供給針３５の先端部は図中破線で示すように切り落とされ、空洞部３７は切り落とされた破断面において前方に開口する開口部３７ａが形成される。なお、この切り落としに際して、切り落とす位置を示す目印（例えば溝や線）を側端面３５ｂに形成しておいてもよい。
【００５６】
一方、インク供給チューブ５２は、少なくとも供給針３５に挿入される端部側において、その壁面５２ｈが供給針３５の側端面３５ｂの外径と同じか小さな内径を有する管状壁となっている。そして、インク供給チューブ５２が供給針３５に対して挿入された状態では、図示するように、壁面５２ｈは開口部３７ａよりも後方側（下流側）において側端面３５ｂとの間で密着してシール部が形成され、インク供給チューブ５２と供給針３５との間においてインクが漏れない状態になる。この供給針３５の構造の場合は、切断によって形成された開口部３７ａがインクの供給口３６として機能し、図中矢印Ｆで示すように、インク供給チューブ５２から供給されるインクは、開口部３７ａを通り、空洞部３７を流れて流動経路４１ａに供給される。なお、上記実施形態と同様、インク供給チューブ５２の端部においてシール部材５２Ｓを備えた構成において、本変形例を採用しても差し支えない。
【００５７】
この変形例によれば、上記実施形態の効果（１），（３）〜（８）に加えて次の効果を奏する。
（９）消費部２０へインクを供給する供給針３５にインク供給チューブ５２を接続した場合、供給針３５に設けられた供給口３６となる開口部３７ａがインク供給チューブ５２の壁面５２ｈから離れた状態が容易に得られるので、開口部３７ａ（供給口３６）が閉塞されることなく、インクをインク供給チューブ５２から消費部２０へ供給することができる。
【００５８】
・上記実施形態において、インク供給チューブ５２は、供給口３６の開口と対向するインクの流路を構成する壁面５２ｈが、供給口３６の開口から離れる方向に湾曲する湾曲流路部を有することとしてもよい。本変形例について、図７を参照して説明する。
【００５９】
図７に示すように、供給針３５に挿入されたインク供給チューブ５２において、後方壁３３よりも挿入方向と反対側の前方に位置する部分を、曲率半径Ｒで重力方向側である下側に湾曲する湾曲形状とする。この結果、インクの流路を形成するインク供給チューブ５２の壁面５２ｈは湾曲流路部５２ｒを形成し、供給口３６が対向するインク供給チューブ５２の湾曲内側の壁面５２ｈは、供給口３６から離される。換言すれば、供給口３６が対向するインク供給チューブ５２の壁面５２ｈが供給口３６から離れるように湾曲流路部５２ｒを形成する。この結果、図中矢印Ｆで示すように、インク供給チューブ５２Ｍから供給されるインクは、供給口３６を通過可能となり、空洞部３７を流れて流動経路４１ａに供給される。
【００６０】
本変形例において、湾曲流路部５２ｒを形成する構成の一例として、インク供給チューブ５２を湾曲させる湾曲面３８ａを有する湾曲形成部材３８を、ねじなどの固定部材３９で後方壁３３に固定する構成が採用できる。もとより、インク供給チューブ５２を湾曲させることが可能であれば、必ずしもこの構成に限るものでない。
【００６１】
なお、本変形例では、インク供給チューブ５２において、少なくとも供給針３５に挿入される接続部位となる端部側は、その壁面５２ｈが供給針３５の側端面３５ｃの外径と同じか小さな内径を有する管状壁となっている。従って、インク供給チューブ５２はシール部材５２Ｓを用いず、側端面３５ｃと壁面５２ｈとが密着することによって供給口３６よりも後方の下流側においてシール部が形成される構成とされている。もとより、上記実施形態と同様、インク供給チューブ５２の端部においてシール部材５２Ｓを備えた構成において、本変形例を採用しても差し支えない。
【００６２】
この変形例によれば、上記実施形態の効果（１），（３）〜（８）に加えて次の効果を奏する。
（１０）消費部２０へインクを供給する供給針３５にインク供給チューブ５２を接続した場合、供給口３６と供給口３６が対向する壁面５２ｈとの間に隙間が形成されるので、供給口３６が閉塞されることなくインクをインク供給チューブ５２から消費部２０へ供給することができる。
【００６３】
・上記実施形態において、インク供給チューブ５２は、供給針３５に直接接続する場合に、アダプター５３を介して接続される構成であってもよい。本変形例について、図８を参照して説明する。
【００６４】
図８に示すように、本変形例では、供給針３５に対してまずアダプター５３を接続し、接続されたアダプター５３に対してインク供給チューブ５２を接続することによって、アダプター５３をインク供給チューブ５２とともに接続チューブとして機能させ、インク供給チューブ５２を供給針３５に接続される構成とする。すなわち、アダプター５３は、少なくとも供給針３５と接続される接続部位となる後端部側において、その内側の壁面５３ｈが供給針３５の側端面３５ｂ（３５ｃ）の外径よりも大きな内径を有する筒部５３ｂとなっている。この筒部５３ｂの壁面５３ｈはインクの流路を形成するとともに、壁面５３ｈにおける後端部側にシール部材５３Ｓが設けられている。そして、上記実施形態と同様に、側端面３５ｂとシール部材５３Ｓとが摺動する状態でアダプター５３を供給針３５に押し込んだ状態では、シール部材５３Ｓは供給口３６よりも下流側となる位置で供給針３５との間でシール部を形成し、インクの流路からインクが漏れないようにシールする。
【００６５】
一方、このアダプター５３において供給針３５と接続される後端部側と反対側の前端部側は、壁面５３ｈが後端部側の径よりも小さい筒部５３ａとなっている。そして、インク供給チューブ５２は、この筒部５３ａに対してインク供給チューブ５２の壁面５２ｈが密着するように押し込まれる。この結果、図中矢印Ｆで示すように、インク供給チューブ５２Ｍから供給されるインクは、アダプター５３の流路を介して供給口３６を通り、空洞部３７を流れて流動経路４１ａに供給される。
【００６６】
本変形例によれば、インク供給チューブ５２の外径を大きくする必要がないので、プリンター１１においてインク供給チューブ５２を配設するスペースの増加を抑制することができる。また、アダプター５３を例えば硬質プラスチックなどの容易に変形しない部材で形成することができるので、シール部材５３Ｓとして好適なゴムなどの可撓性部材を採用することができる。
【００６７】
・上記実施形態において、インクタンク５０は、例えば装置ケース１４の内部に設けられるなど、必ずしも装置ケース１４の外部に備えられる構成に限定されない。
・上記実施形態において、媒体は用紙Ｐに限るものでなく、金属板、樹脂板、布などを材料とする板状部材であってもよい。すなわち、搬送可能であって、消費部２０が消費するインクによって印刷可能な部材であれば、媒体として採用できる。
【００６８】
・上記実施形態において、消費部２０は、キャリッジ２１に伴って液体噴射ヘッド２２が往復移動するシリアル式のプリンターに限らず、液体噴射ヘッド２２を固定したままでも用紙最大幅範囲の印字が可能なラインヘッド式のプリンターであってもよい。
【００６９】
・上記実施形態において、プリンター１１はスキャナーユニット１３を備えない装置であってもよいし、消費部２０とともにＦＡＸ装置やコピー装置などの機能を備えた複合機であってもよい。
【００７０】
・上記実施形態では、液体消費装置を、インクを噴射する液体噴射ヘッドを備えたインクジェット式のプリンター１１として具体化したが、インク以外の他の液体を噴射したり吐出したりする液体噴射装置として具体化してもよい。微小量の液滴を吐出させる液体噴射ヘッド等を備える各種の液体噴射装置を流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置がある。あるいは、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００７１】
１１…液体消費装置としてのプリンター、２０…消費部、３０…液体カートリッジ装着部、３５…供給部材としての供給針、３６…供給口、３７ａ…供給口としての開口部、５２…接続チューブとしてのインク供給チューブ、５２ｈ…壁面、５２ｒ…湾曲流路部、５２Ｓ…シール部材、５３ｈ…壁面、５３Ｓ…シール部材、６２…電気接続部としての電気端子、６３…更新指示部としての更新ボタン、ＥＫＳ…液体供給システム、ＧＰ…隙間、ＳＰ１，ＳＰ２…空間部。
【図１】
0005948833.tif 000002
【図２】
0005948833.tif 000003
【図３】
0005948833.tif 000004
【図４】
0005948833.tif 000005
【図５】
0005948833.tif 000006
【図６】
0005948833.tif 000007
【図７】
0005948833.tif 000008
【図８】
0005948833.tif 000009